(57)【特許請求の範囲】
【請求項１】
チューブ供給タイプであって、かつ、複数のインク流路を接続するための流路ジョイント部材を備えるインクジェット記録装置において、
前記流路ジョイント部材は、複数の１次側のインク流路を構成する管がそれぞれ接続される、複数の１次側の接続部材と、複数の２次側のインク流路を構成する管がそれぞれ接続される、複数の２次側の接続部材と、インク被供給部材に固定される本体フレームとを備えており、
前記本体フレームは、前記インク被供給部材に対し、脚部を介して、間隔をおいて位置する支持壁を有し、
前記複数の１次側の接続部材は、前記支持壁の一方の面から開放されその開放方向と反対方向に縮径された１次側漏斗部およびその１次側漏斗部から前記支持壁と反対方向に突出した１次側筒部が前記支持壁と一体的に形成され、
前記複数の２次側の接続部材は、それぞれ独立して別部材として形成されており、かつ前記支持壁とは別部材とし、前記１次側漏斗部の縮径方向と反対方向に縮径された２次側漏斗部およびその２次側漏斗部から前記１次側筒部の突出方向と反対方向に突出した筒部が一体的に形成されており、
各前記２次側の接続部材は、各前記１次側の接続部材と対向して、前記支持壁の他方の面に突出して固定され、それぞれ互いに独立した管が接続されていることを特徴とする、インクジェット記録装置。
【請求項２】
各前記１次側の接続部材と各前記２次側の接続部材との間には、フィルタが介在されていることを特徴とする、請求項１に記載のインクジェット記録装置。
【請求項３】
前記本体フレームは、前記支持壁と、その支持壁を前記インク被供給部材に対して間隔をおいて位置させるための前記脚部とが一体的に形成されていることを特徴とする、請求項１または２に記載のインクジェット記録装置。
【請求項４】
前記複数の１次側の接続部材は、前記支持壁に一体的に形成され、
前記複数の２次側の接続部材は、それぞれ独立して、前記１次側の接続部材と対向して前記支持壁の前記インク被供給部材側の面に固定され、それぞれ独立した前記管で前記インク被供給部材側と接続されていることを特徴とする、請求項１ないし３のいずれかに記載のインクジェット記録装置。
【請求項５】
前記インク被供給部材がインクジェットヘッドであることを特徴とする、請求項１ないし４のいずれかに記載のインクジェット記録装置。
【発明の詳細な説明】
【０００１】
【発明の属する技術分野】
本発明は、インクジェット記録装置、詳しくは、チューブ供給タイプのインクジェット記録装置に関する。
【０００２】
【従来の技術】
従来より、インクジェット記録装置として、インクを収容するインクタンクと、インクを噴射して用紙などに所定の記録を行なうためのインクジェットヘッドとが、チューブを介して接続されているチューブ供給タイプのインクジェット記録装置が知られている。
【０００３】
このようなチューブ供給タイプのインクジェット記録装置では、図４に示すように、たとえば、２つのインクジェットヘッド１（図４において、２つのインクジェットヘッド１は、紙厚方向に並列配置されており、一方側のみが現れている。）と、第１インク供給チューブ２および第２インク供給チューブ３とが、ジョイント部材４を介して接続されている。
【０００４】
すなわち、ジョイント部材４は、樹脂製のアウタ部材５およびインナ部材６をそれぞれ別部材として備えており、アウタ部材５には、第１アウタ側接続部７および第２アウタ側接続部８が一体的に形成されるとともに、インナ部材６には、第１インナ側接続部１０および第２インナ側接続部１２と、その両端部に２つの脚部１６とが一体的に形成されている。
【０００５】
そして、ジョイント部材４は、これらアウタ部材５とインナ部材６とが、第１アウタ側接続部７と第１インナ側接続部１０との間、および、第２アウタ側接続部８と第２インナ側接続部１２との間に、フィルタ１７が介在された状態で、超音波溶着により接合されており、第１インク供給チューブ２が第１アウタ側接続部７に接続されるとともに、第２インク供給チューブ３が第２アウタ側接続部８に接続され、また、一方のインクジェットヘッド１の第１供給口１３に接続されている第１供給導管９が、第１インナ側接続部１０に接続されるとともに、他方のインクジェットヘッド１の第２供給口１４に接続される第２供給導管１１が、第２インナ側接続部１２に接続された状態で、インナ部材６の脚部１６が、ねじ１８を介してインクジェットヘッド１を保持するヘッドホルダ１５に固定されることにより、組み付けられている。
【０００６】
【発明が解決しようとする課題】
しかし、このようなジョイント部材４は、アウタ部材５における第１アウタ側接続部７と第２アウタ側接続部８との間隔の公差と、インナ部材６における第１インナ側接続部１０と第２インナ側接続部１２との間隔の公差との影響により、これらアウタ部材５とインナ部材６との超音波溶着時に、第１アウタ側接続部７と第１インナ側接続部１０とを位置合せし、かつ、第２アウタ側接続部８と第２インナ側接続部１２とを位置合せして超音波溶着すると、第１アウタ側接続部７と第１インナ側接続部１０との接続部分と、第２アウタ側接続部８と第２インナ側接続部１２との接続部分との間で、互いに引っ張り合い、または、押し合う歪み応力が生じるため、溶着不良を生じて、これらアウタ部材５とインナ部材６とが剥がれやすくなるという不具合を生じる。
【０００７】
本発明は、このような不具合に鑑みなされたものであって、その目的とするところは、簡易な構成により、複数のインク流路を接続するための流路ジョイント部材が、各接続部材間の公差が影響することなく確実に組み付けられている、インクジェット記録装置を提供することにある。
【０００８】
【課題を解決するための手段】
上記の目的を達成するため、請求項１に記載の発明は、チューブ供給タイプであって、かつ、複数のインク流路を接続するための流路ジョイント部材を備えるインクジェット記録装置において、前記流路ジョイント部材は、複数の１次側のインク流路を構成する管がそれぞれ接続される、複数の１次側の接続部材と、複数の２次側のインク流路を構成する管がそれぞれ接続される、複数の２次側の接続部材と、インク被供給部材に固定される本体フレームとを備えており、前記本体フレームは、前記インク被供給部材に対し、脚部を介して、間隔をおいて位置する支持壁を有し、前記複数の１次側の接続部材は、前記支持壁の一方の面から開放されその開放方向と反対方向に縮径された１次側漏斗部およびその１次側漏斗部から前記支持壁と反対方向に突出した１次側筒部が前記支持壁と一体的に形成され、前記複数の２次側の接続部材は、それぞれ独立して別部材として形成されており、かつ前記支持壁とは別部材とし、前記１次側漏斗部の縮径方向と反対方向に縮径された２次側漏斗部およびその２次側漏斗部から前記１次側筒部の突出方向と反対方向に突出した筒部が一体的に形成されており、各前記２次側の接続部材は、各前記１次側の接続部材と対向して、前記支持壁の他方の面に突出して固定され、それぞれ互いに独立した管が接続されていることを特徴としている。
【０００９】
このような構成によると、複数の１次側の接続部材が支持壁と一体的に形成される一方で、複数の２次側の接続部材が支持壁とは別部材として形成されているので、１次側の各接続部材間の公差が影響することはなく、２次側の接続部材を、それに対応する１次側の接続部材に、歪み応力を生じさせることなく接続することができる。そのため、簡易な構成により、複数のインク流路を接続するための流路ジョイント部材を、各接続部材間の公差を影響させることなく確実に組み付けることができる。
【００１０】
また、請求項２に記載の発明は、請求項１に記載の発明において、各前記１次側の接続部材と各前記２次側の接続部材との間には、フィルタが介在されていることを特徴としている。
【００１１】
たとえば、複数の１次側の接続部材と複数の２次側の接続部材とが、それぞれ一体的に形成されていると、それらの接続時において、各１次側の接続部材と各２次側の接続部材との間に介在されるフィルタに、各１次側の接続部材間の公差と各２次側の接続部材間の公差との影響により、引張力または押圧力が作用して、フィルタに損傷を生じるという不具合がある。
【００１２】
しかし、このような構成によると、１次側の接続部材に、別部材として形成されている２次側の接続部材が接続されている接続部分に介在されているフィルタには、接続部材の公差に起因する引張力または押圧力が作用することがないので、それに起因する損傷を有効に防止することができる。
【００１３】
また、請求項３に記載の発明は、請求項１または２に記載の発明において、前記本体フレームは、前記支持壁と、その支持壁を前記インク被供給部材に対して間隔をおいて位置させるための前記脚部とが一体的に形成されていることを特徴としている。
【００１４】
このように、本体フレームは、支持壁と脚部とが一体的に形成されていてもよい。
【００１５】
また、請求項４に記載の発明は、請求項１ないし３のいずれかに記載の発明において、前記複数の１次側の接続部材は、前記支持壁に一体的に形成され、前記複数の２次側の接続部材は、それぞれ独立して、前記１次側の接続部材と対向して前記支持壁の前記インク被供給部材側の面に固定され、それぞれ独立した前記管で前記インク被供給部材側と接続されていることを特徴としている。
【００１６】
このように、複数の１次側の接続部材は、支持壁に一体的に形成され、複数の２次側の接続部材は、それぞれ独立して、１次側の接続部材と対向して支持壁のインク被供給部材側の面に固定され、それぞれ独立した管でインク被供給部材側と接続されていてもよい。
【００１７】
また、請求項５に記載の発明は、請求項１ないし４のいずれかに記載の発明において、前記インク被供給部材がインクジェットヘッドであることを特徴としている。
【００１８】
インク被供給部材がインクジェットヘッドであると、この流路ジョイント部材によって、確実なインクの供給による確実なインクの噴射を確保することができる。そのため、インクジェット記録装置をチューブ供給タイプのインクジェット記録装置として構成して、正確かつ確実な画像形成を達成することができる。
【００１９】
【発明の実施の形態】
図１は、本発明のインクジェット記録装置の一実施形態としてのインクジェット記録装置のジョイント部材およびヘッドユニットの概略構成図である。また、図２は、図１に示すヘッドユニットにおけるＡ−Ａ線断面の斜視図である。
【００２０】
以下、本発明のインクジェット記録装置の一実施形態を図１および図２を参照して説明する。
【００２１】
このインクジェット記録装置は、インクが貯留される図示しないインク貯留タンクと、図示しないキャリッジに搭載されるインク被供給部材であるインクジェットヘッドとしてのヘッドユニット４４とを備えており、インク貯留タンクには、１次側のインク流路としての第１インク供給管２０および第２インク供給管２１が接続されるとともに、ヘッドユニット４４には、流路ジョイント部材としてのジョイント部材３５が取り付けられている。
【００２２】
そして、インク貯留タンクに貯留されているインクは、第１インク供給管２０および第２インク供給管２１を介してジョイント部材３５に供給され、ジョイント部材３５からヘッドユニット４４の後述する記録ヘッド２２に供給された後、記録ヘッド２２から噴射されることにより、用紙などに対して所定の記録を行なうようにされている。
【００２３】
ヘッドユニット４４は、記録ヘッド２２と、その記録ヘッド２２を支持するヘッドホルダ４５とを備えている。
【００２４】
記録ヘッド２２は、センタープレート２３を挟んでその両側に、第１アクチュエータ２５および第１マニホールド２８を備える第１ヘッド部材２２Ａと、第２アクチュエータ２６および第２マニホールド２９を備える第２ヘッド部材２２Ｂとを備えている。
【００２５】
第１アクチュエータ２５および第２アクチュエータ２６は、センタープレート２３の両側に接着固定されており、第１アクチュエータ２５および第２アクチュエータ２６の接着面に形成されている複数の溝とセンタープレート２３の各側面との間で、複数の噴射チャンネル２４が２列に形成されている。そして、第１アクチュエータ２５および第２アクチュエータ２６の下端部において、各噴射チャンネル２４が開口する開口端部がノズル２７とされている。
【００２６】
なお、第１アクチュエータ２５および第２アクチュエータ２６には、後述する取付板３２とヘッドホルダ４５との間から挿入される給電部材３４が接続されている。
【００２７】
また、第１マニホールド２８および第２マニホールド２９は、センタープレート２３の両側において各噴射チャンネル２４の配列方向に沿って配置され、第１アクチュエータ２５および第２アクチュエータ２６の上端部に接合されている。これら、第１マニホールド２８および第２マニホールド２９には、２次側のインク流路としての後述する第１供給導管５３および第２供給導管５４に接続される、第１接続管３０および第２接続管３１が一体として上向きに突出形成されており、第１接続管３０および第２接続管３１から導入されるインクを各噴射チャンネル２４に分配供給するように構成されている。
【００２８】
なお、第１接続管３０および第２接続管３１は、センタープレート２３の長手方向（図１の左右方向）の両端であって、かつ、センタープレート２３の中心に対して点対称に配置されている。
【００２９】
そして、第１ヘッド部材２２Ａおよび第２ヘッド部材２２Ｂでは、それぞれ第１接続管３０および第２接続管３１からインクを導入し、そのインクを第１マニホールド２８および第２マニホールド２９から第１アクチュエータ２５および第２アクチュエータ２６の各噴射チャンネル２４に分配供給した後、給電部材３４からの噴射パルス信号に基づく第１アクチュエータ２５および第２アクチュエータ２６の変形駆動によって、その容積減少時に、各ノズル２７から液滴として噴射し、一方、容積増大時には、第１マニホールド２８および第２マニホールド２９から再び噴射チャンネル２４内にインクを導入する。このような動作が繰り返されることにより、用紙などに所定の印字が形成される。
【００３０】
ヘッドホルダ４５は、図示しないキャリッジに支持されるとともに、記録ヘッド２２を受け入れ支持するための開口部が形成されており、その開口部の上側において、取付板３２を支持するとともに、その開口部の下側には、カバー３３が一体的に形成されている。
【００３１】
取付板３２には、第１接続管３０および第２接続管３１を貫通させる貫通孔が対角状に形成されており、それら貫通孔から第１接続管３０および第２接続管３１が上向きに突出された状態で、取付板３２の下面に第１マニホールド２８および第２マニホールド２９の上端部が接着固定されている。
【００３２】
これによって、記録ヘッド２２がヘッドホルダ４５の開口部に受け入れられた状態で、取付板３２を介してそのヘッドホルダ４５によって支持されている。
【００３３】
また、カバー３３は記録ヘッド２２におけるノズル２７が形成されているノズル面が下向きに露出されるように記録ヘッド２２を被覆している。
【００３４】
ジョイント部材３５は、断面略Ｈ状の本体フレーム３６、１次側の接続部材としての第１アウタ接続部３８および第２アウタ接続部３９、２次側の接続部材としての第１インナ接続部４０および第２インナ接続部４１、第１フィルタ４２および第２フィルタ４３を備えている。
【００３５】
本体フレーム３６は、略水平方向に延びる支持壁４８と、支持壁４８の両端から上下方向に延びる脚部４９とを備えている。
【００３６】
支持壁４８には、その上面５１側に、第１アウタ接続部３８および第２アウタ接続部３９が一体的に形成されている。すなわち、第１アウタ接続部３８および第２アウタ接続部３９は、ジョイント部材３５がヘッドユニット４４に取り付けられた状態で、第１接続管３０および第２接続管３１に対向するような対角状の位置に設けられており、上面５１から下方が開放され、上方に向かって縮径される略円錐状の上側漏斗部３８ａおよび３９ａと、その上側漏斗部３８ａおよび３９ａの上端から上向きに突出形成される上側筒部３８ｂおよび３９ｂとが一体的に形成されている。
【００３７】
また、支持壁４８の下面５２側には、後述する第１インナ接続部４０および第２インナ接続部４１を溶着するための２つの溶着部３７ａおよび３７ｂが、一体的に形成されている。
【００３８】
各溶着部３７ａおよび３７ｂは、第１アウタ接続部３８および第２アウタ接続部３９と対向する位置にそれぞれ設けられ、次に述べる第１インナ接続部４０および第２インナ接続部４１の係合凹部４０ｃおよび４１ｃに係合するリング状をなし、下向きに突出形成されている。
【００３９】
脚部４９は、断面略Ｌ字状に形成され、屈曲形成される下端が、ヘッドホルダ４５と対向する取付部５０とされている。
【００４０】
第１インナ接続部４０および第２インナ接続部４１は、それぞれ独立して別部材として形成されており、下方に向かって縮径される略円錐状の下側漏斗部４０ａおよび４１ａと、その下側漏斗部４０ａおよび４１ａの下端から下向きに突出形成される下側筒部４０ｂおよび４１ｂと、その下側漏斗部４０ａおよび４１ａの上端周縁部に設けられる係合凹部４０ｃおよび４１ｃとが一体的に形成されている。
【００４１】
第１フィルタ４２および第２フィルタ４３は、円板状をなし、後述するように、それぞれ第１アウタ接続部３８の上側漏斗部３８ａと第１インナ接続部４０の下側漏斗部４０ａとの間、および、第２アウタ接続部３９の上側漏斗部３９ａと第２インナ接続部４１の下側漏斗部４１ａとの間に介在されるような所定の径で形成されている。
【００４２】
そして、第１インナ接続部４０および第２インナ接続部４１は、それぞれ第１アウタ接続部３８および第２アウタ接続部３９とに下方から対向させて、第１フィルタ４２および第２フィルタ４３を介在させた状態で、支持壁４８の溶着部３７ａおよび３７ｂに係合凹部４０ｃおよび４１ｃを係合させた後、超音波溶着によって支持壁４８の下面５２側に溶着されており、これによって、第１アウタ接続部３８と第１インナ接続部４０とが接続されるとともに、第２アウタ接続部３９と第２インナ接続部４１がとが接続される。
【００４３】
そして、第１インナ接続部４０の下側筒部４０ｂと第１接続管３０とを対向させるとともに、第２インナ接続部４１の下側筒部４１ｂと第２接続管３１とを対向させて、２次側のインク流路としての第１供給導管５３の一端を第１接続管３０に接続するとともに、その他端を下側筒部４０ｂに接続し、また、同じく２次側のインク流路としての第２供給導管５４の一端を第２接続管３１に接続するとともに、その他端を下側筒部４１ｂに接続することにより、第１インク供給管２０が第１アウタ接続部３８、第１インナ接続部４０および第１供給導管５３を介して、第１マニホールド２８の第１接続管３０に接続されるとともに、第２インク供給管２１が、第２アウタ接続部３９、第２インナ接続部４１および第２供給導管５４を介して、第２マニホールド２９の第２接続管３１に接続される。
【００４４】
また、脚部４９の取付部５０をヘッドホルダ４５に当接させた状態でねじ４６を介してそのヘッドホルダ４５に取り付けることにより、ジョイント部材３５がヘッドホルダ４５によって支持される。
【００４５】
そして、このジョイント部材３５では、第１アウタ接続部３８および第２アウタ接続部３９が支持壁４８と一体的に形成される一方で、第１インナ接続部４０および第２インナ接続部４１が支持壁４８とは別部材として形成されているので、第１インナ接続部４０および第２インナ接続部４１の支持壁４８に対する組み付け時においては、第１インナ接続部４０および第２インナ接続部４１をそれぞれ第１アウタ接続部３８および第２アウタ接続部３９に独立して対向させて超音波溶着させるため、第１アウタ接続部３８と第２アウタ接続部３９との間隔の公差に起因する歪み応力が、これら第１インナ接続部４０および第２インナ接続部４１、さらには第１アウタ接続部３８および第２アウタ接続部３９に作用することはなく、第１アウタ接続部３８と第１インナ接続部４０、および第２アウタ接続部３９と第２インナ接続部４１を歪み応力を生じさせることなく接続することができる。
【００４６】
そのため、簡易な構成により、ジョイント部材３５を、第１アウタ接続部３８と第２アウタ接続部３９との間隔の交差を影響させることなく確実に形成することができる。
【００４７】
そして、それら第１アウタ接続部３８と第１インナ接続部４０との間に介在される第１フィルタ４２、および、第２アウタ接続部３９と第２インナ接続部４１との間に介在される第２フィルタ４３にも、第１アウタ接続部３８と第２アウタ接続部３９との間隔の公差に起因する引張力または押圧力が作用することがないので、それに起因する損傷を有効に防止することができる。
【００４８】
また、このジョイント部材３５では、第１アウタ接続部３８および第２アウタ接続部３９が本体フレーム３６と一体的に形成されているのみならず、ヘッドホルダ４５に取り付けられる脚部４９も本体フレーム３６と一体的に形成されているので、ジョイント部材３５をヘッドホルダ４５に確実に支持させることができながら、しかも、第１インナ接続部４０および第２インナ接続部４１は、その脚部４９が延びる方向において、支持壁４８の下面５２側に超音波溶着されているため、脚部４９によって、それら第１インナ接続部４０および第２インナ接続部４１を保護することができる。そのため、第１アウタ接続部３８と第１インナ接続部４０、および、第２アウタ接続部３９と第２インナ接続部４１との溶着による確実な接続を確保することができる。
【００４９】
そして、このインクジェット記録装置では、ヘッドユニット４４に、このようなジョイント部材３５が取り付けられているので、このジョイント部材３５によって、確実なインクの供給による確実なインクの噴射を確保することができる。そのため、インクジェット記録装置をチューブ供給タイプのインクジェット記録装置として構成して、正確かつ確実な画像形成を達成することができる。
【００５０】
なお、上記の説明においては、第１インク供給管２０および第２インク供給管２１からそれぞれインクを供給するように構成したが、たとえば、インクを循環させるように構成してもよい。
【００５１】
図３は、このような実施態様のインクジェット記録装置の概略構成図であり、このインクジェット記録装置においては、インク貯留タンク６１と記録ヘッド２２との間でインクが循環され、インク貯留タンク６１に戻されたインクからインク中に発生した気泡が除去される構成とされている。なお、図１と同一部材には同一符号を付し、詳細な説明は省略する。
【００５２】
このインクジェット記録装置は、インクが貯留されるインク貯留タンク６１と、ヘッドユニット４４とを備えており、インク貯留タンク６１には、１次側のインク流路としてのインク供給管１２０およびインク戻り管１２１が接続されるとともに、ヘッドユニット４４には、ジョイント部材３５が取り付けられている。また、インク供給管１２０の途中には、インク貯留タンク６１からインクを供給するためのポンプ６２が設けられるとともに、インク戻り管１２１の途中には、インクの逆流を防止するためのバルブ６３が設けられている。
【００５３】
記録ヘッド２２のマニホールド１２８には、供給接続管１３０および戻り接続管１３１が一体として上向きに突出形成されており、供給接続管１３０には、その一端が第１インナ接続部４０に接続される供給導管１５３の他端が接続されるとともに、戻り接続管１３１には、その一端が第２インナ接続部４１に接続される戻り導管１５４の他端が接続されている。
【００５４】
そして、このインクジェット記録装置においては、インク供給管１２０がジョイント部材３５の第１アウタ接続部３８に接続されるとともに、インク戻り管１２１がジョイント部材３５の第２アウタ接続部３９に接続されており、これによって、インク貯留タンク６１に貯留されるインクは、ポンプ６２の駆動によって、インク供給管１２０から第１アウタ接続部３８、供給導管１５３および供給接続管１３０を介して記録ヘッド２２のマニホールド１２８に供給され、マニホールド１２８に溜まっているインクが、戻り接続管１３１から戻り導管１５４、第２アウタ接続部３９およびインク戻り管１２１を介してインク貯留タンク６１に戻されるように構成されている。
【００５５】
そして、このようなインク循環系のインクジェット記録装置においても、このジョイント部材３５では、第１アウタ接続部３８および第２アウタ接続部３９が支持壁４８と一体的に形成される一方で、第１インナ接続部４０および第２インナ接続部４１が支持壁４８とは別部材として形成されているので、第１アウタ接続部３８と第１インナ接続部４０、および、第２アウタ接続部３９と第２インナ接続部４１を歪み応力を生じさせることなく接続することができるため、簡易な構成により、インク供給管１２０およびインク戻り管１２１と、供給接続管１３０および戻り接続管１３１とを接続するためのジョイント部材３５を、第１アウタ接続部３８と第２アウタ接続部３９との間隔の公差を影響させることなく確実に形成することができる。
【００５６】
なお、上記の説明においては、ジョイント部材３５には、２つの第１アウタ接続部３８および第２アウタ接続部３９と、２つの第１インナ接続部４０および第２インナ接続部４１との２つの流路接続部分を設けたが、本発明において流路接続部分の数は特に限定されない。
【００５７】
また、２つの第１アウタ接続部３８および第２アウタ接続部３９には、外部のインクタンクから供給されるインクを一時的に溜める１つのバッファタンクを接続し、２つの第１ヘッド部材２２Ａおよび第２ヘッド部材２２Ｂに同じインクを供給するようにしてもよい。この場合、請求項１の複数の１次側のインク流路は、第１アウタ接続部３８および第２アウタ接続部３９の上側筒部３８ｂおよび３９ｂが、複数の１次側の接続部材は、上側漏斗部３８ａおよび３９ａがそれぞれ構成する。
【００５８】
【発明の効果】
以上述べたように、請求項１に記載の発明によれば、簡易な構成により、複数のインク流路を接続するための流路ジョイント部材を、各接続部材間の公差を影響させることなく確実に組み付けることができる。
【００５９】
請求項２に記載の発明によれば、１次側の接続部材に、別部材として形成されている２次側の接続部材が接続されている接続部分に介在されているフィルタには、接続部材の公差に起因する引張力または押圧力が作用することがないので、それに起因する損傷を有効に防止することができる。
【００６０】
請求項３に記載の発明によれば、本体フレームは、支持壁と脚部とが一体的に形成されてもよい。
【００６１】
請求項４に記載の発明によれば、複数の１次側の接続部材は、支持壁に一体的に形成され、複数の２次側の接続部材は、それぞれ独立して、１次側の接続部材と対向して支持壁のインク被供給部材側の面に固定され、それぞれ独立した管でインク被供給部材側と接続されていてもよい。
【００６２】
請求項５に記載の発明によれば、インクジェット記録装置をチューブ供給タイプのインクジェット記録装置として構成して、正確かつ確実な画像形成を達成することができる。
【図面の簡単な説明】
【図１】  本発明のインクジェット記録装置のジョイント部材およびヘッドユニットの概略構成図である。
【図２】  図１に示すヘッドユニットにおけるＡ−Ａ線断面の斜視図である。
【図３】  本発明のインクジェット記録装置の他の実施形態の概略構成図である。
【図４】  従来のインクジェット記録装置のジョイント部材およびヘッドユニットの概略構成図である。
【符号の説明】
２０    第１インク供給管
２１    第２インク供給管
３５    ジョイント部材
３６    本体フレーム
３８    第１アウタ接続部
３８ａ  上側漏斗部
３８ｂ  上側筒部
３９    第２アウタ接続部
３９ａ  上側漏斗部
３９ｂ  上側筒部
４０    第１インナ接続部
４０ａ  下側漏斗部
４０ｂ  下側筒部
４１    第２インナ接続部
４１ａ  下側漏斗部
４１ｂ  下側筒部
４２    第１フィルタ
４３    第２フィルタ
４４    ヘッドユニット
４８    支持壁
４９    脚部
５３    第１供給導管
５４    第２供給導管
【図１】
0003800995.tif 000002
【図２】
0003800995.tif 000003
【図３】
0003800995.tif 000004
【図４】
0003800995.tif 000005